(57)【要約】【課題】従来のような鋼管杭と支持脚との連結作業や位置調整が不要で、施工時間を大幅に短縮することができ、量産性、施工性、組立て作業性に優れる架台の設置工法の提供。【解決手段】傾斜状の載置部を有する架台の設置工法であって、鋼管杭を地中に回転貫入し杭頭側を載置部の低位置側の支持高さに合わせて地表から突出させ低位置側支持脚を設置する低位置側支持脚設置工程と、鋼管杭を地中に回転貫入し杭頭側を載置部の高位置側の支持高さに合わせて地表から突出させ高位置側支持脚を設置する高位置側支持脚設置工程と、隣接する低位置側支持脚の間及び隣接する高位置側支持脚の間にそれぞれ大梁を渡設する大梁渡設工程と、低位置側の大梁と高位置側の大梁の間に複数の小梁を渡設する小梁渡設工程と、を備える。【選択図】図１
2014125792.tif 000002
【特許請求の範囲】
【請求項１】
傾斜状の載置部を有する架台の設置工法であって、
鋼管杭を地中に回転貫入し杭頭側を前記載置部の低位置側の支持高さに合わせて地表から突出させ低位置側支持脚を設置する低位置側支持脚設置工程と、鋼管杭を地中に回転貫入し杭頭側を前記載置部の高位置側の支持高さに合わせて地表から突出させ高位置側支持脚を設置する高位置側支持脚設置工程と、隣接する前記低位置側支持脚の間及び隣接する前記高位置側支持脚の間にそれぞれ大梁を渡設する大梁渡設工程と、低位置側の前記大梁と高位置側の前記大梁の間に複数の小梁を渡設する小梁渡設工程と、を備えたことを特徴とする架台の設置工法。
【請求項２】
請求項１に記載の架台の設置工法により設置され、傾斜状の載置部を有する架台であって、
鋼管杭の杭頭側を前記載置部の低位置側の支持高さに合わせて地表から突出させた複数の低位置側支持脚と、鋼管杭の杭頭側を前記載置部の高位置側の支持高さに合わせて地表から突出させた複数の高位置側支持脚と、隣接する前記低位置側支持脚の間及び隣接する前記高位置側支持脚の間にそれぞれ渡設された大梁と、低位置側の前記大梁と高位置側の前記大梁の間に渡設された複数の小梁と、を備えたことを特徴とする架台。
【請求項３】
各々の前記鋼管杭の上端に固設され上面に長孔状のガイド孔が形成された連結具と、前記大梁に前記連結具の前記ガイド孔と直交して形成された長孔状の位置調整孔と、前記大梁の上面に立設され前記小梁の側面部と固定される小梁支持部と、を備えたことを特徴とする請求項２に記載の架台。
【請求項４】
前記鋼管杭が、上端に覆設された天板と、前記天板の中央部に形設された雌ねじ部と、を有し、前記連結具が、前記鋼管杭の前記天板上に載置される底板部と、前記底板部の中央部に前記天板の前記雌ねじ部の位置に合わせて穿設された貫通孔と、前記底板部に間隔を空けて立設された２つの支持部と、前記底板部よりも長尺状に形成され長手方向の両端部が前記底板部の外方に突出するように前記支持部上に固設された上板部と、前記上板部の中央部に前記貫通孔の位置に合わせて形成された固定具挿通孔と、前記上板部の長手方向の両端部の底板部と重ならない位置に形成された２つの前記ガイド孔と、を備えたことを特徴とする請求項３に記載の架台。
【請求項５】
前記載置部に太陽光発電パネルが載置されることを特徴とする請求項１乃至４の内いずれか１項に記載の架台。
【発明の詳細な説明】
【技術分野】
【０００１】
本発明は、傾斜状の載置部を有する架台の設置工法及びそれによって設置された架台に関する。
【背景技術】
【０００２】
従来から各種建築物の骨組みを構成する際に、Ｃ型鋼、角鋼、Ｌ型鋼などの鉄骨鋼材などが用いられている。これらの部材同士を接合する接合方法としては、ジョイントなどを用いて溶接するものやボルトとナットの締結によるものが一般的である。しかし、接合される部材同士が、常に設計通りの正しい位置や向きにあるとは限らないため、部材同士の位置調整（誤差吸収）手段が必要となる。また、柱脚基礎を構築する際にも、杭と柱脚との位置調整が必要であり、様々な施工方法や位置決め装置（ジョイント）などが提案されている。
例えば、（特許文献１）には、杭頭部に建造物の支柱を締結固定する基板を備えると共に下半身に螺旋リブを備える基礎杭であって、基板は基礎杭の径方向中心から伸びる放射線状に間隔を隔てて開設される複数の長孔を備え、該長孔と建造物の支柱下部に取り付けた取付板に対向状に開設される長孔とにより、複数の放射線状に開設される長孔と対向状に開設される長孔との重合範囲において、基礎杭と支柱との芯ズレ調整および支柱の周方向における取付角度調整を行い、基板と取付板を締結部材にて固定してなる基礎杭と建造物の支柱との接合構造が開示されている。
【先行技術文献】
【特許文献】
【０００３】
【特許文献１】特許第４８４６３７８号
【発明の概要】
【発明が解決しようとする課題】
【０００４】
しかしながら、上記従来の技術は以下のような課題を有していた。
（１）（特許文献１）では、基礎杭が所定位置よりも芯ズレして埋設されても、建造物の支柱を芯ズレを調整しつつ基礎杭に接合することができると共に、基礎杭が螺旋杭の場合であっても、支柱に角柱を使用したときに、支柱の所定面を揃えることができるように、支柱の周方向における角度位置の調整を行うことを目的としたものであるが、構成及び組立ての手順が複雑で、部品点数も多く、施工に時間がかかり、量産性、施工性に欠けるという課題があった。
（２）また、（特許文献１）では、杭本体の頭部に溶接固定された基板に所定の角度で放射状に配置された複数の長孔と、支柱下部に取り付けた取付板に対向状に開設された長孔とで芯ズレ調整および支柱の周方向における取付角度調整を行うので、調整範囲が限られ、微調整も困難で汎用性、機能性に欠ける。
（３）さらに、（特許文献１）には高さ調整機構がないため、高さを調整するには基礎杭の埋設深さそのものを調整しなければならないが、基礎杭の埋設深さを調整するために基礎杭を回転させると、基板も一緒に回転し、放射状に配置された長孔の位置（配置角度）が変わってしまい、支柱の周方向における取付角度を正しく調整できなくなるおそれがあり、汎用性、施工性、信頼性に欠けるという課題があった。
【０００５】
本発明は、上記課題を解決するもので、従来のような鋼管杭と支持脚との連結作業や位置調整が不要で、施工時間を大幅に短縮することができ、量産性、施工性、組立て作業性に優れる架台の設置工法の提供、及び鋼管杭と支持脚が一体化された極めて簡素な構造で、部品点数が少なく、載置部の高さや傾斜角度の調整及び支持脚と載置部との水平面内での位置調整を短時間で容易に行うことができるだけでなく、微調整が可能で、高さ調整や水平面内での位置調整の自由度が高い、汎用性、施工性、組立て作業性に優れる架台の提供を目的とする。
【課題を解決するための手段及びそれによって得られる作用、効果】
【０００６】
上記従来の課題を解決するために本発明の架台の設置工法及び架台は、以下の構成を有している。
本発明の請求項１に記載の架台の設置工法は、傾斜状の載置部を有する架台の設置工法であって、鋼管杭を地中に回転貫入し杭頭側を前記載置部の低位置側の支持高さに合わせて地表から突出させ低位置側支持脚を設置する低位置側支持脚設置工程と、鋼管杭を地中に回転貫入し杭頭側を前記載置部の高位置側の支持高さに合わせて地表から突出させ高位置側支持脚を設置する高位置側支持脚設置工程と、隣接する前記低位置側支持脚の間及び隣接する前記高位置側支持脚の間にそれぞれ大梁を渡設する大梁渡設工程と、低位置側の前記大梁と高位置側の前記大梁の間に複数の小梁を渡設する小梁渡設工程と、を備えた構成を有している。
この構成により、以下のような作用、効果を有する。
（１）鋼管杭を地中に回転貫入し杭頭側を載置部の低位置側の支持高さに合わせて地表から突出させ低位置側支持脚を設置する低位置側支持脚設置工程と、鋼管杭を地中に回転貫入し杭頭側を載置部の高位置側の支持高さに合わせて地表から突出させ高位置側支持脚を設置する高位置側支持脚設置工程を有することにより、鋼管杭を地中に打ち込むだけで低位置側支持脚と高位置側支持脚を簡単に設置することができ、別途、支持脚用の部材を用意する必要がなく、従来のような鋼管杭と支持脚との連結作業や位置調整も不要で、施工時間を大幅に短縮することができ、量産性、施工性、組立て作業性に優れる。
（２）隣接する低位置側支持脚の間及び隣接する高位置側支持脚の間にそれぞれ大梁を渡設する大梁渡設工程を有することにより、隣接する低位置側支持脚同士及び高位置側支持脚同士を連結して載置部の基礎を形成することができ、施工性に優れる。
（３）低位置側の大梁と高位置側の大梁の間に複数の小梁を渡設する小梁渡設工程を有することにより、高さの違う大梁の間を連結して傾斜状の載置部を形成することができ、施工性に優れる。
【０００７】
ここで、低位置側支持脚設置工程と高位置側支持脚設置工程は、どちらを先に行ってもよいし、並行して行ってもよい。尚、低位置側支持脚設置工程及び高位置側支持脚設置工程では低位置側支持脚及び高位置側支持脚を１本ずつ設置してもよいし、複数本同時に設置してもよい。また、低位置側支持脚設置工程及び高位置側支持脚設置工程で設置する低位置側支持脚及び高位置側支持脚の数や間隔は載置部の広さに応じて、適宜、選択することができる。
【０００８】
本発明の請求項２に記載の架台は、請求項１に記載の架台の設置工法により設置され、傾斜状の載置部を有する架台であって、鋼管杭の杭頭側を前記載置部の低位置側の支持高さに合わせて地表から突出させた複数の低位置側支持脚と、鋼管杭の杭頭側を前記載置部の高位置側の支持高さに合わせて地表から突出させた複数の高位置側支持脚と、隣接する前記低位置側支持脚の間及び隣接する前記高位置側支持脚の間にそれぞれ渡設された大梁と、低位置側の前記大梁と高位置側の前記大梁の間に渡設された複数の小梁と、を備えた構成を有している。
この構成により、以下のような作用、効果を有する。
（１）鋼管杭の杭頭側を載置部の低位置側の支持高さに合わせて地表から突出させた複数の低位置側支持脚と、鋼管杭の杭頭側を載置部の高位置側の支持高さに合わせて地表から突出させた複数の高位置側支持脚を有することにより、鋼管杭と支持脚が一体化された極めて簡素な構造で架台を構成することができ、部品点数が少なく、従来のような鋼管杭と支持脚との連結作業や位置調整も不要で、施工時間を大幅に短縮することができ、量産性、施工性、組立て作業性に優れる。
（２）隣接する低位置側支持脚の間及び隣接する高位置側支持脚の間にそれぞれ渡設された大梁を有することにより、隣接する低位置側支持脚同士及び高位置側支持脚同士を確実に連結して載置部の基礎を形成することができ、施工性に優れる。
（３）低位置側の大梁と高位置側の大梁の間に渡設された複数の小梁を有することにより、高さの違う大梁の間を確実に連結して傾斜状の載置部を形成することができ、施工性に優れる。
【０００９】
ここで、大梁及び小梁には、断面形状がコ字型の溝型鋼や断面形状がＣ字型のリップ溝型鋼（Ｃチャンネル）等が好適に用いられる。
低位置側支持脚及び高位置側支持脚と大梁との固定や大梁と小梁との固定には螺子止めが好適に用いられる。
【００１０】
請求項３に記載の発明は、請求項２に記載の架台であって、各々の前記鋼管杭の上端に固設され上面に長孔状のガイド孔が形成された連結具と、前記大梁に前記連結具の前記ガイド孔と直交して形成された長孔状の位置調整孔と、前記大梁の上面に立設され前記小梁の側面部と固定される小梁支持部と、を備えた構成を有している。
この構成により、請求項２の作用、効果に加え、以下のような作用、効果を有する。
（１）各々の鋼管杭の上端に固設され上面に長孔状のガイド孔が形成された連結具と、大梁に連結具のガイド孔と直交して形成された長孔状の位置調整孔を有することにより、連結具と大梁を簡単かつ確実に螺子止めして鋼管杭と大梁を連結でき、施工性、固定の確実性に優れる。
（２）連結具の長孔状のガイド孔と、大梁の長孔状の位置調整孔が直交しているので、鋼管杭と大梁の水平面内位置を簡便に調整することができ、それにより鋼管杭の打ち込み時の位置ズレを吸収することができ、位置調整の自由度が高く、施工性、位置調整の簡便性に優れる。
（３）大梁の上面に立設され小梁の側面部と固定される小梁支持部を有することにより、大梁と小梁を簡便に固定することができ、施工性、小梁の支持安定性に優れる。
【００１１】
ここで、連結具及び小梁支持部の材質としては、ステンレス等の金属が好適に用いられる。
連結具は鋼管杭の上端に螺子止めや溶接などで固定することができるが、施工性、組み立て及び分解の作業性に優れる螺子止めが好適に用いられる。尚、鋼管杭を地中に回転貫入した後、連結具を取り付けることにより、杭打ち時に連結具が邪魔になることがなく、施工性に優れる。
小梁支持部と大梁は螺子止めや溶接などで固定することができるが、予め大梁に小梁支持部を取り付けた状態で連結具に固定してもよいし、連結具に大梁を固定してから小梁支持部を取り付けてもよい。
尚、小梁支持部及び小梁の側面部に予め固定孔を形成しておけば、小梁支持部と小梁を螺子止めによって簡便かつ確実に固定でき、施工性に優れる。
【００１２】
請求項４に記載の発明は、請求項３に記載の架台であって、前記鋼管杭が、上端に覆設された天板と、前記天板の中央部に形設された雌ねじ部と、を有し、前記連結具が、前記鋼管杭の前記天板上に載置される底板部と、前記底板部の中央部に前記天板の前記雌ねじ部の位置に合わせて穿設された貫通孔と、前記底板部に間隔を空けて立設された２つの支持部と、前記底板部よりも長尺状に形成され長手方向の両端部が前記底板部の外方に突出するように前記支持部上に固設された上板部と、前記上板部の中央部に前記貫通孔の位置に合わせて形成された固定具挿通孔と、前記上板部の長手方向の両端部の底板部と重ならない位置に形成された２つの前記ガイド孔と、を備えた構成を有している。
この構成により、請求項３の作用、効果に加え、以下のような作用、効果を有する。
（１）鋼管杭が、上端に覆設された天板と、天板の中央部に形設された雌ねじ部と、を有し、連結具が鋼管杭の天板上に載置される底板部と、底板部の中央部に天板の雌ねじ部の 位置に合わせて穿設された貫通孔を有することにより、鋼管杭の天板と連結具の底板部を１本の螺子だけで簡単に固定することができ、連結具の取り付け作業性に優れる。
（２）鋼管杭に連結具を固定するための雌ねじ部が天板の中央部に形設されていることにより、鋼管杭を回転させて高さ調整を行っても、連結具を所定の角度で固定することができ、連結具の長孔状のガイド孔と、大梁の長孔状の位置調整孔を常に直交させることができるので、鋼管杭と大梁の水平面内位置を確実に調整することができ、位置調整の確実性に優れる。
（３）連結具が、底板部に間隔を空けて立設された２つの支持部と、底板部よりも長尺状に形成され長手方向の両端部が底板部の外方に突出するように支持部上に固設された上板部を有することにより、上板部で確実に大梁を支持することができ、大梁の支持安定性に優れる。
（４）連結具の上板部の中央部に貫通孔の位置に合わせて形成された固定具挿通孔を有することにより、固定具挿通孔からボルト等の固定具や工具を挿通して、容易に鋼管杭と連結具を固定することができ、固定作業性に優れる。
（５）連結具の２つのガイド孔が上板部の長手方向の両端部の底板部と重ならない位置に形成されることにより、上板部の下方からガイド孔にボルト等の固定具を挿通して大梁と螺子止めする際に、底板部が邪魔になることがなく、施工性、固定作業性に優れる。
【００１３】
ここで、鋼管杭に覆設される天板の中央部に雌ねじ部を形設する際には、天板に直接、雌ねじ部を形設してもよいし、天板には貫通孔のみを形成し、天板の裏面に雌ねじ部が形設されたナットなどの部材を溶接してもよい。
連結具は、底板部、支持部、上板部を有していればよいが、角鋼が好適に用いられる。底板部が短く、上板部が長くなるように角鋼を切断し、貫通孔、固定具挿通孔及びガイド孔を穿設するだけで、簡単に連結具を形成することができるためである。
固定具挿通孔はボルト等の固定具や工具を挿通して回転させることができるだけの大きさがあればよく、その形状は適宜、選択することができる。
【００１４】
請求項５に記載の発明は、請求項１乃至４の内いずれか１項に記載の架台であって、前記載置部に太陽光発電パネルが載置される構成を有している。
この構成により、請求項１乃至４の内いずれか１項の作用、効果に加え、以下のような作用、効果を有する。
（１）載置部に太陽光発電パネルが載置されることにより、短時間で大量の太陽光発電パネルを設置して、太陽光発電を促進することができ、施工性、環境保護性に優れる。
【００１５】
ここで、載置部を形成する小梁の上面に太陽光発電パネルを固定するためのパネル固定孔を形成しておけば、太陽光発電パネルを簡単かつ確実に固定することができ、太陽光発電パネルの着脱作業性、メンテナンス性に優れる。
【図面の簡単な説明】
【００１６】
【図１】実施の形態１の架台の設置工法により設置される架台の側面模式図
【図２】実施の形態１の架台の設置工法により設置される架台の平面模式図
【図３】（ａ）実施の形態１の架台の設置工法により設置される架台の連結具の平面模式図  （ｂ）図３（ａ）のＡ−Ａ線矢視断面図  （ｃ）実施の形態１の架台の設置工法により設置される架台の連結具の側面模式図
【図４】実施の形態１の架台の設置工法により設置される架台の要部正面模式図
【図５】（ａ）図４のＢ−Ｂ線矢視断面図  （ｂ）図４のＣ−Ｃ線矢視断面図
【図６】実施の形態１の架台の設置工法により設置される架台の要部側面拡大模式図
【発明を実施するための形態】
【００１７】
（実施の形態１）
本発明の実施の形態１における架台の設置工法及びそれによって設置される架台について、以下、図面を用いて説明する。
図１は実施の形態１の架台の設置工法により設置される架台の側面模式図であり、図２は実施の形態１の架台の設置工法により設置される架台の平面模式図である。
図１及び図２中、１は実施の形態１の架台の設置工法により設置される傾斜状の載置部１ａを有する架台、２は地中に回転貫入された複数の鋼管杭（図１）、２ａは鋼管杭２の先端に螺旋状に形成された羽根、３は鋼管杭２の上端に覆設された天板、４ａは鋼管杭２の杭頭側を載置部１ａの低位置側の支持高さに合わせて地表から突出させた複数の低位置側支持脚（図１）、４ｂは鋼管杭２の杭頭側を載置部１ａの高位置側の支持高さに合わせて地表から突出させた複数の高位置側支持脚（図１）、５は各々の鋼管杭２の上端に固設された連結具、６は隣接する低位置側支持脚４ａの間及び隣接する高位置側支持脚４ｂの間にそれぞれ渡設された大梁、７は大梁６の上面に所定の間隔で配設された略Ｌ字型の小梁支持部、８は低位置側の大梁６と高位置側の大梁６の間に渡設され小梁支持部７を介して大梁６を連結する複数の小梁、３０は架台１が設置される設置面である。
【００１８】
図１において、低位置側支持脚設置工程では、鋼管杭２を地中に回転貫入し杭頭側を載置部１ａの低位置側の支持高さに合わせて地表から突出させ低位置側支持脚４ａを設置する。また、高位置側支持脚設置工程では、鋼管杭２を地中に回転貫入し杭頭側を載置部１ａの高位置側の支持高さに合わせて地表から突出させ高位置側支持脚４ｂを設置する。
尚、低位置側支持脚設置工程と高位置側支持脚設置工程は、どちらを先に行ってもよいし、並行して行ってもよい。また、低位置側支持脚設置工程及び高位置側支持脚設置工程で設置する低位置側支持脚４ａ及び高位置側支持脚４ｂの数や間隔は載置部１ａの広さに応じて、適宜、選択することができる。
【００１９】
次に、各々の鋼管杭の上端に取り付けられる連結具について説明する。
図３（ａ）は実施の形態１の架台の設置工法により設置される架台の連結具の平面模式図であり、図３（ｂ）は図３（ａ）のＡ−Ａ線矢視断面図であり、図３（ｃ）は実施の形態１の架台の設置工法により設置される架台の連結具の側面模式図である。
図３中、３ａは天板３の中央部に穿設された固定ボルト挿通孔、３ｂは固定ボルト挿通孔３ａの位置に合わせて天板３の裏面に溶接されたナットにより形設された雌ねじ部、５ａは鋼管杭２の天板３上に載置される連結具５の底板部、５ｂは底板部５ａの中央部に天板３の雌ねじ部３ｂの位置に合わせて穿設された貫通孔、５ｃは底板部５ａの両側に間隔を空けて立設された逆台形状の２つの支持部、５ｄは底板部５ａよりも長尺状に形成され長手方向の両端部が底板部５ａの外方に突出するように支持部５ｃ上に固設された上板部、５ｅは上板部５ｄの中央部に貫通孔５ｂの位置に合わせて形成された固定具挿通孔、５ｆは上板部５ｄの長手方向の両端部の底板部５ａと重ならない位置に形成された２つの長孔状のガイド孔、２０は固定具挿通孔５ｅから挿通され雌ねじ部３ｂと螺着されて天板３に連結具５を固定する固定ボルトである。
連結具５が鋼管杭２の天板３の中央部に固定ボルト２０で固定されるので、鋼管杭２を回転させて高さ調整した後で、連結具５を所定の角度（向き）に固定することができ、連結具５の上板部５ｄの長手方向と大梁６の長手方向を容易に一致させることができる（図２参照）。
また、連結具５の上板部５ｄに形成された固定具挿通孔５ｅから固定ボルト２０及び工具を挿通し、容易に固定ボルト２０を雌ねじ部３ｂに螺着させて、鋼管杭２と連結具５を固定することができ、固定作業性に優れる。
【００２０】
図４は実施の形態１の架台の設置工法により設置される架台の要部正面模式図であり、図５（ａ）は図４のＢ−Ｂ線矢視断面図であり、図５（ｂ）は図４のＣ−Ｃ線矢視断面図である。
図４及び図５中、６ａは連結具５の上板部５ｄ上に載置されるリップ溝型鋼で形成された大梁６の底面、６ｂは連結具５のガイド孔５ｆと直交して大梁６の底面６ａに形成された長孔状の位置調整孔（図５（ｂ））、６ｃは底面６ａの一側に立設された大梁６の側面、６ｄは大梁６の側面６ｃの長手方向の両端部に２つずつ穿設された連結用孔（図４、図５（ａ））、６ｅは大梁６の上面、７ａは大梁６の上面６ｅ上に載置される略Ｌ字型の小梁支持部７の底板、７ｂは底板７ａから延設された小梁支持部７の側板、７ｃは側板７ｂに穿設された小梁固定孔、９は隣接する大梁６の端部同士を連結するための連結板、９ａは大梁６の連結用孔６ｄの位置に合わせて連結板９に穿設された４つの連結孔、２１は連結具５の上板部５ｄの下方からガイド孔５ｆに挿通され大梁６の底面６ａの位置調整孔６ｂを通って固定ナット２１ａに螺着されて連結具５と大梁６を位置決め固定する固定ボルト、２２は連結板９の連結孔９ａから大梁６の側面６ｃの連結用孔６ｄに挿通され固定ナット２２ａと螺着されて連結板９を介して隣接する大梁６の端部同士を連結する固定ボルト、２３は固定ナット２３ａに螺着されて大梁６の上面６ｅと小梁支持部７の底板７ａを固定する固定ボルトである。
【００２１】
大梁渡設工程では、隣接する低位置側支持脚４ａの間及び隣接する高位置側支持脚４ｂの間にそれぞれ大梁６を渡設する。このとき、連結具５のガイド孔５ｆと大梁６の位置調整孔６ｂが直交しているので、連結具５に対し、大梁６の水平面内位置を簡便に調整することができる。
【００２２】
図６は実施の形態１の架台の設置工法により設置される架台の要部側面拡大模式図である。
図６中、８ａは小梁８の側面部、２４は小梁支持部７の側板７ｂと小梁８の側面部８ａを固定する固定ボルトである。
小梁渡設工程では、低位置側の大梁４ａと高位置側の大梁４ｂの間に複数の小梁８を渡設して、傾斜状の載置部１ａを形成することができる。
このようにして設置された架台１は様々な用途に用いることができるが、特に、太陽光発電パネルを載置するための架台として好適に用いることができる。
【００２３】
以上のように構成された本発明の実施の形態１における架台の設置工法によれば、以下の作用を有する。
（１）鋼管杭を地中に回転貫入し杭頭側を載置部の低位置側の支持高さに合わせて地表から突出させ低位置側支持脚を設置する低位置側支持脚設置工程と、鋼管杭を地中に回転貫入し杭頭側を載置部の高位置側の支持高さに合わせて地表から突出させ高位置側支持脚を設置する高位置側支持脚設置工程を有することにより、鋼管杭を地中に打ち込むだけで低位置側支持脚と高位置側支持脚を簡単に設置することができ、別途、支持脚用の部材を用意する必要がなく、従来のような鋼管杭と支持脚との連結作業や位置調整も不要で、施工時間を大幅に短縮することができ、量産性、施工性、組立て作業性に優れる。
（２）隣接する低位置側支持脚の間及び隣接する高位置側支持脚の間にそれぞれ大梁を渡設する大梁渡設工程を有することにより、隣接する低位置側支持脚同士及び高位置側支持脚同士を連結して載置部の基礎を形成することができ、施工性に優れる。
（３）低位置側の大梁と高位置側の大梁の間に複数の小梁を渡設する小梁渡設工程を有することにより、高さの違う大梁の間を連結して傾斜状の載置部を形成することができ、施工性に優れる。
【００２４】
以上のように構成された本発明の実施の形態１における架台の設置工法によって設置された架台によれば、以下の作用を有する。
（１）鋼管杭の杭頭側を載置部の低位置側の支持高さに合わせて地表から突出させた複数の低位置側支持脚と、鋼管杭の杭頭側を載置部の高位置側の支持高さに合わせて地表から突出させた複数の高位置側支持脚を有することにより、鋼管杭と支持脚が一体化された極めて簡素な構造で架台を構成することができ、部品点数が少なく、従来のような鋼管杭と支持脚との連結作業や位置調整も不要で、施工時間を大幅に短縮することができ、量産性、施工性、組立て作業性に優れる。
（２）隣接する低位置側支持脚の間及び隣接する高位置側支持脚の間にそれぞれ渡設された大梁を有することにより、隣接する低位置側支持脚同士及び高位置側支持脚同士を確実に連結して載置部の基礎を形成することができ、施工性に優れる。
（３）低位置側の大梁と高位置側の大梁の間に渡設された複数の小梁を有することにより、高さの違う大梁の間を確実に連結して傾斜状の載置部を形成することができ、施工性に優れる。
（４）各々の鋼管杭の上端に固設され上面に長孔状のガイド孔が形成された連結具と、大梁に連結具のガイド孔と直交して形成された長孔状の位置調整孔を有することにより、連結具と大梁を簡単かつ確実に螺子止めして鋼管杭と大梁を連結でき、施工性、固定の確実性に優れる。
（５）連結具の長孔状のガイド孔と、大梁の長孔状の位置調整孔が直交しているので、鋼管杭と大梁の水平面内位置を簡便に調整することができ、それにより鋼管杭の打ち込み時の位置ズレを吸収することができ、位置調整の自由度が高く、施工性、位置調整の簡便性に優れる。
（６）大梁の上面に立設され小梁の側面部と固定される小梁支持部を有することにより、大梁と小梁を簡便に固定することができ、施工性、小梁の支持安定性に優れる。
（７）鋼管杭が、上端に覆設された天板と、天板の中央部に形設された雌ねじ部と、を有し、連結具が鋼管杭の天板上に載置される底板部と、底板部の中央部に天板の雌ねじ部の 位置に合わせて穿設された貫通孔を有することにより、鋼管杭の天板と連結具の底板部を１本の螺子だけで簡単に固定することができ、連結具の取り付け作業性に優れる。
（８）鋼管杭に連結具を固定するための雌ねじ部が天板の中央部に形設されていることにより、鋼管杭を回転させて高さ調整を行っても、連結具を所定の角度で固定することができ、連結具の長孔状のガイド孔と、大梁の長孔状の位置調整孔を常に直交させることができるので、鋼管杭と大梁の水平面内位置を確実に調整することができ、位置調整の確実性に優れる。
（９）連結具が、底板部に間隔を空けて立設された２つの支持部と、底板部よりも長尺状に形成され長手方向の両端部が底板部の外方に突出するように支持部上に固設された上板部を有することにより、上板部で確実に大梁を支持することができ、大梁の支持安定性に優れる。
（１０）連結具の上板部の中央部に貫通孔の位置に合わせて形成された固定具挿通孔を有することにより、固定具挿通孔からボルト等の固定具や工具を挿通して、容易に鋼管杭と連結具を固定することができ、固定作業性に優れる。
（１１）連結具の２つのガイド孔が上板部の長手方向の両端部の底板部と重ならない位置に形成されることにより、上板部の下方からガイド孔にボルト等の固定具を挿通して大梁と螺子止めする際に、底板部が邪魔になることがなく、施工性、固定作業性に優れる。
（１２）載置部に太陽光発電パネルが載置されることにより、短時間で大量の太陽光発電パネルを設置して、太陽光発電を促進することができ、施工性、環境保護性に優れる。
【産業上の利用可能性】
【００２５】
本発明は、従来のような鋼管杭と支持脚との連結作業や位置調整が不要で、施工時間を大幅に短縮することができ、量産性、施工性、組立て作業性に優れる架台の設置工法の提供、及び鋼管杭と支持脚が一体化された極めて簡素な構造で、部品点数が少なく、載置部の高さや傾斜角度の調整及び支持脚と載置部との水平面内での位置調整を短時間で容易に行うことができるだけでなく、微調整が可能で、高さ調整や水平面内での位置調整の自由度が高い、汎用性、施工性、組立て作業性に優れる架台の提供を行うことができ、特に太陽光発電パネルの設置を促進して、電力不足の解消、環境保護に貢献することができる。
【符号の説明】
【００２６】
１  架台
１ａ  載置部
２  鋼管杭
２ａ  羽根
３  天板
３ａ  固定ボルト挿通孔
３ｂ  雌ねじ部
４ａ  低位置側支持脚
４ｂ  高位置側支持脚
５  連結具
５ａ  底板部
５ｂ  貫通孔
５ｃ  支持部
５ｄ  上板部
５ｅ  固定具挿通孔
５ｆ  ガイド孔
６  大梁
６ａ  底面
６ｂ  位置調整孔
６ｃ  側面
６ｄ  連結用孔
６ｅ  上面
７  小梁支持部
７ａ  底板
７ｂ  側板
７ｃ  小梁固定孔
８  小梁
８ａ  側面部
９  連結板
９ａ  連結孔
２０，２１，２２，２３，２４  固定ボルト
２１ａ，２２ａ，２３ａ  固定ナット
３０  設置面
【図１】
2014125792.tif 000003
【図２】
2014125792.tif 000004
【図３】
2014125792.tif 000005
【図４】
2014125792.tif 000006
【図５】
2014125792.tif 000007
【図６】
2014125792.tif 000008